(57)【要約】【課題】  簡単な構成にてオットマン部の外観の悪さを改善しつつ通常の椅子としての使い勝手向上も可能なマッサージ機を提供すること。【解決手段】  人体の脚や腕のような被マッサージ部を受ける凹所３を形成するよう間隔をおいて設けられた複数の支持体４と、凹所３の内面側に位置するよう支持体４に設けられた空気袋５と、空気袋５を膨張収縮させる空気供給手段とを有するオットマン部２を備え、オットマン部２が椅子本体前方において前後に変位自在となるよう配設されたマッサージ機１である。凹所３が平坦となるよう、支持体４をその一面が凹所３に当接する状態まで折畳み自在とさせる。【選択図】図１
2005304740.tif 000002
【特許請求の範囲】
【請求項１】
人体の脚や腕のような被マッサージ部を受ける凹所を形成するよう間隔をおいて設けられた複数の支持体と、前記凹所の内面側に位置するよう同支持体に設けられた空気袋と、同空気袋を膨張収縮させる空気供給手段とを有するオットマン部を備え、該オットマン部が椅子本体前方において前後に変位自在となるよう配設されたマッサージ機であって、
前記凹所が平坦となるよう、前記支持体をその一面が凹所に当接する状態まで折畳み自在とさせて成るマッサージ機。
【請求項２】
前記支持体を前記オットマン部の中央側に位置するものとし、外側に折畳み自在とさせたことを特徴とする請求項１に記載のマッサージ機。
【請求項３】
人体の脚や腕のような被マッサージ部を受ける凹所を形成するよう間隔をおいて設けられた複数の支持体と、前記凹所の内面側に位置するよう同支持体に設けられた空気袋と、同空気袋を膨張収縮させる空気供給手段とを有するオットマン部を備え、該オットマン部が椅子本体前方において前後に変位自在となるよう配設されたマッサージ機であって、
前記凹所が平坦となるよう、前記支持体の外側に位置するものを背面側に回転し折畳み自在とさせて成るマッサージ機。
【請求項４】
人体の脚や腕のような被マッサージ部を受ける凹所を形成するよう間隔をおいて設けられた複数の支持体と、前記凹所の内面側に位置するよう同支持体に設けられた空気袋と、同空気袋を膨張収縮させる空気供給手段とを有するオットマン部を備え、該オットマン部が椅子本体前方において前後に変位自在となるよう配設されたマッサージ機であって、
前記凹所が平坦となるよう、前記支持体を背面側にスライドし出退自在とさせて成るマッサージ機。
【請求項５】
人体の脚や腕のような被マッサージ部を受ける凹所を形成するよう間隔をおいて設けられた複数の支持体と、前記凹所の内面側に位置するよう同支持体に設けられた空気袋と、同空気袋を膨張収縮させる空気供給手段とを有するオットマン部を備え、該オットマン部が椅子本体前方において前後に変位自在となるよう配設されたマッサージ機であって、
前記凹所が平坦となるよう、膨張収縮自在とした第２の空気袋を付設させて成るマッサージ機。
【発明の詳細な説明】
【技術分野】
【０００１】
本発明はマッサージ機に関し、特に空気袋の膨張収縮によって人体に対するマッサージを行うマッサージ機に関するものである。
【背景技術】
【０００２】
従来より、この種のマッサージ機として、第６図に示すように、人体をマッサージする、揉み玉と呼ばれる施療子を有する椅子型のマッサージ機１００において、椅子本体１０１の座部１０２前方に人体の脚をマッサージする凹溝部１０９を設けるとともに、この凹溝部１０９の左右の内側面に夫々空気袋を取りつけて、これら空気袋を膨張収縮させることで、凹溝部１０９に位置させた被マッサージ部に圧迫刺激を与えるものが提案されている。
【０００３】
このマッサージ機１００は、座部１０２と背もたれ部１０３を有すると共にオットマン部１０５が座部１０２の前方に回動して出し入れ可能とされている。座部１０２の左右両側にはアームレスト１０４、１０４が設けられている。背もたれ部１０３は、背もたれ用リクライニング装置（図示しない）により座部１０２の後端部を支点に、オットマン部１０５は、オットマン用リクライニング装置（図示しない）により座部１０２の前端部を支点として矢印Ａに示す方向にリクライニング可能に構成されている。背もたれ部１０３には、モータの回転動力によって上下移動するマッサージをおこなう施療子となる揉み玉（図示しない）が内蔵されている。脚のせ台となる上記オットマン部１０５は、基台部１０６と、左右方向外側に立設する外側支持体１０７、１０７と内側に立設する内側支持体１０８と、マッサージ用空気袋および同空気袋ヘのエア配管（図示しない）とで構成されている。
【０００４】
上記の椅子型のマッサージ機１００では、オットマン部１０５に凹溝部１０９が位置し、この部分に脚を載せるだけで両脚が空気袋にて圧迫され、この圧迫にて生じる反力が支持体の側壁面にて受けとめられることにて、空気袋の膨張収縮動作によって手軽にマッサージを受けることができる。
【０００５】
ところで、上記構成によると、凹溝部１０９の内側面に空気袋を配置させる関係上、オットマン部１０５のマッサージ機構を設ける側壁の高さが高くなり、嵩が大きくなってしまう。そのため、居間等において通常の椅子として使用するにあたって脚の動きが制約されてくつろぎにくく、使用者に不快感を与えるという問題があった。また、凹溝部１０９が存在する関係で外観上凹凸が多くなり、居間などに設置された場合、他の家具との調和が保てずデザイン性において劣るという課題があった。
【０００６】
上記課題への対応策として、本出願人は、不使用時におけるデザイン性を向上させ、しかも収納性を高めるため、上記凹溝部の平坦化可能な構成として、特開２０００−３１６９３０号公報に開示されている、図７に示すような、間隔をおいて設けられた複数の支持体２０１と、柔軟材からなるとともに両端が支持体に夫々取り付けられて断面Ｕ字形をなしている帯体２０２と、人体の脚や腕のような被マッサージ部を受ける帯体２０２の内面側に位置している空気袋２０３と、この空気袋２０３を膨張収縮させる空気供給手段とからなり、支持体２０１が折り畳み自在となっているマッサージ機２００の構成を提案している。
【０００７】
この場合、同図（ａ）に示すように、支持体２０１から吊り下げられた帯体２０２は、その両端においてのみ支持体２０１に接触しており、他の部分が宙に浮いた状態にあるために、断面Ｕ字形をなす帯体２０２によって形成される凹溝部２０４に被マッサージ部２０５（脚）を載せれば、帯体２０２はその柔軟性のために被マッサージ部２０５の外形状に倣うものであり、従って、空気袋２０３を膨張させることで左右から被マッサージ部２０５に圧迫刺激を与えるにあたり、被マッサージ部２０５の太さに関係なく適切な刺激を与えることができるとともに、被マッサージ部２０５を包みこむような刺激を与えることができ、さらに同図（ｂ）に示すように、支持体２０１も折り畳むことができて収納性等に優れる。
【０００８】
また、特開２００１−２０４７７７号公報に開示されている、図８に示すような、左右一対の側壁部３０２を有する足支持部材３００を備えたマッサージ機において、左右一対の側壁部３０２が、基端部に設けられている回転機構にて左右方向内方に折り畳み自在に構成されているマッサージ機も提案されている。この場合、足支持部材３００は、底壁部３０１と、底壁部３０１の左右両側から突出した左右一対の側壁部３０２と、該一対の側壁部３０２間に位置するように底壁部３０１の左右中央側から突出した中央壁部３０３とを有し、前記左右一対の側壁部３０２と中央壁部３０３との間が、足の片方をそれぞれ嵌合保持する一対の足保持溝３０４とされ、足保持溝３０４に嵌合保持された足を、空気の給排により膨張収縮して押圧するエアセル（空気袋）３０５が具備されているものがある。
【０００９】
しかしながら、上記による構成はいずれのものも機構上複雑であり、また左右側壁部３０２を内方に折り畳むようにしたものにあっては、上記エアセル３０５が脚を圧迫する際に生じる反力に対して上記回転機構が一定以上に開かないための回転止め機構が必要になることが想定され、構造が複雑になることが予測される。さらには、折り畳んだ状態ではオットマン部底面の高さが上がることにより、椅子の背もたれからオットマン底面までの距離が遠くなるために、深く腰をかけると床にかかとが着かない、もしくはオットマン部を回動させて持ち上げたときには脚が椅子の座面より高くなり通常の椅子としては使用し辛くなるなることも想定された。
【特許文献１】特開２０００−３１６９３０号公報
【特許文献２】特開２００１−２０４７７７号公報
【発明の開示】
【発明が解決しようとする課題】
【００１０】
本願発明は、上記背景技術に鑑みてなされたものであり、その課題は、簡単な構成にてオットマン部の外観の悪さを改善しつつ通常の椅子としての使い勝手向上も可能なマッサージ機を提供することである。
【課題を解決するための手段】
【００１１】
上記課題を解決するために、本願発明によるマッサージ機は、人体の脚や腕のような被マッサージ部を受ける凹所を形成するよう間隔をおいて設けられた複数の支持体と、前記凹所の内面側に位置するよう同支持体に設けられた空気袋と、同空気袋を膨張収縮させる空気供給手段とを有するオットマン部を備え、該オットマン部が椅子本体前方において前後に変位自在となるよう配設されたマッサージ機であって、前記凹所が平坦となるよう、前記支持体をその一面が凹所に当接する状態まで折畳み自在とさせて成る。
【００１２】
そして、前記支持体を前記オットマン部の中央側に位置するものとし、外側に折畳み自在とさせるのが好ましい。
【００１３】
また、人体の脚や腕のような被マッサージ部を受ける凹所を形成するよう間隔をおいて設けられた複数の支持体と、前記凹所の内面側に位置するよう同支持体に設けられた空気袋と、同空気袋を膨張収縮させる空気供給手段とを有するオットマン部を備え、該オットマン部が椅子本体前方において前後に変位自在となるよう配設されたマッサージ機の構成に対して、前記凹所が平坦となるよう、前記支持体の外側に位置するものを背面側に回転し折畳み自在とさせて成ることも好ましい。
【００１４】
また、前記凹所が平坦となるよう、前記支持体を背面側にスライドし出退自在とさせて成ることも好ましい。
【００１５】
また、前記凹所が平坦となるよう、膨張収縮自在とした第２の空気袋を付設させて成ることも好ましい。
【発明の効果】
【００１６】
本願発明のマッサージ機は、椅子本体前方において前後に変位自在となるよう配設されオットマン部の、間隔をおいて配設された、空気供給手段にて膨張収縮される空気袋がその内面側に位置するよう設けられた複数の支持体が、それにて形成される、人体の脚や腕のような被マッサージ部を受ける凹所に当接して平坦となる状態にまで折り畳まれるので、簡単な構成にてオットマン部の外観の悪さを改善しつつ通常の椅子としての使い勝手も向上できる。
【００１７】
そして、オットマン部の中央側に位置する支持体が平坦となる状態にまで外側に折畳まれるので、空気袋が脚を圧迫する際に生じる反力に対して一定以上に開かないための回転止め機構が不用となり、以って、より簡単な機構となる。
【００１８】
また、凹所が平坦となるよう、前記支持体の外側に位置するものを背面側に回転し折畳み自在とさせた結果として、オットマン部の外観がより優れたものとなる。
【００１９】
また、凹所が平坦となるよう、前記支持体を背面側にスライドし出退自在とさせたものおいては、機構部が目立たないという効果を奏する。
【００２０】
また、凹所が平坦となるよう、膨張収縮自在とした第２の空気袋を付設させたものおいては、その空気袋を膨張収縮させる空気供給手段をマッサージ用のものとも兼用させより簡単な構成となるという効果を奏する。
【発明を実施するための最良の形態】
【００２１】
本発明の上記および他の目的、特徴および利点を明確にすべく、添付した図面を参照しながら、本発明の実施の形態を以下に詳述する。
【００２２】
図１（ａ）を参照すると、本発明の一実施形態としてのマッサージ機のオットマン部の平面図が示されている。この実施形態のマッサージ機は、背景技術の項にて説明した構成と同じく、座部と背もたれ部とを有する椅子本体と共にオットマン部が座部の前方に回動して出し入れ可能とされており、座部の左右両側にアームレストが設けられている。
【００２３】
このものにおいても、背もたれ部は背もたれ用リクライニング装置により座部の後端部を支点に、オットマン部はオットマン用リクライニング装置により座部の前端部を支点としてリクライニング可能に構成されている。背もたれ部にはモータの回転動力によって上下移動するマッサージをおこなう施療子となる揉み玉が内蔵されている椅子型のマッサージ機１である。そして、椅子本体の座面前方に人体の脚をマッサージする凹所３を設けるとともに、この凹所３の左右の内側面に夫々空気袋５を取りつけて、これら空気袋５を膨張収縮させることで、凹所３、３に位置させた被マッサージ部に圧迫刺激を与えるよう構成されたものであり、具体的には、人体の脚や腕のような被マッサージ部を受ける凹所３を形成するよう間隔をおいて設けられた複数の支持体４と、前記凹所３の内面側に位置するよう同支持体４に設けられた空気袋５と、同空気袋５を膨張収縮させる空気供給手段（図示せず）とを有するオットマン部２を備え、該オットマン部２が椅子本体前方において前後に変位自在となるよう配設されたマッサージ機１であって、前記凹所３が平坦となるよう、前記支持体４をその一面が凹所３に当接する状態まで折畳み自在とさせている。この場合、前記支持体４を前記オットマン部２の中央側に位置するものとし、外側に折畳み自在とさせてもおり、図１（ｂ）には、支持体４を折り畳んだ状態が示されている。
【００２４】
同図に示すオットマン部２は、人体の両脚のふくらはぎ部分をマッサージするためのもので、ベース部分の両端に２つの支持壁２１、２１がほぼ垂直に立ち上がっており、そして、２つの支持体４、４がベース部分の略中央に、外側に折畳み自在となるよう軸４１にて軸支されてほぼ垂直に立ち上がっている。（図１（ａ）の状態）
マッサージのための空気袋５は、２つの支持壁２１、２１、及び２つの支持体４、４の内面に取り付けられており、これら４つの空気袋５はエアポンプ及び排気弁を備えて空気袋５を膨張収縮させる給排気手段に接続されている。
【００２５】
このものにおいて、図１（ａ）に示す、支持体４、４が立ち上がった状態においては、支持体４、４相互が空気袋５、５の設けられている側の背面側が接した状態となっており、凹所３に被マッサージ部を載せれば、空気袋５を膨張させることで左右から被マッサージ部に圧迫刺激を与えるにあたり、被マッサージ部の太さに関係なく、適切な刺激を与えることができるとともに、被マッサージ部を包みこむような刺激を与えることができ、且つ、空気袋５が脚を圧迫する際に生じる反力に対して一定以上に開かないための回転止め機構が不用となる。さらに、この支持体４、４は、図１（ｂ）に示すように、支持体４の一面が凹所３に当接する状態まで折畳んだ状態においては、オットマン部２全体がより平坦となるよう、オットマン部２のベース部分には部分的に空気袋５を収容可能な凹所が形成してあり、支持体４の周縁においてのみベース部分に接触する状態にある。このために、簡単な構成にてオットマン部２の外観の悪さを改善しつつ通常の椅子としての使い勝手も向上できるものとなる。
【００２６】
図２に、本実施形態の他実施例を示す。ここでは、前記支持体４を同図に示すオットマン部２の外側に位置するものとし、リンク４２、４３にてそれぞれ支持されて内側に折畳み自在とさせており、図２（ｂ）には、支持体４、４を折り畳んだ状態が示されている。
【００２７】
図３に、本発明の第２の実施形態としてのマッサージ機のオットマン部の平面図が示されている。この実施形態のマッサージ機１は、同図に示すオットマン部２以外の椅子本体部分は上記の実施形態のマッサージ機と同様の構成であり、人体の脚や腕のような被マッサージ部を受ける凹所３を形成するよう間隔をおいて設けられた複数の支持体４と、前記凹所３の内面側に位置するよう同支持体４に設けられた空気袋５と、同空気袋５を膨張収縮させる空気供給手段とを有するオットマン部２を備え、該オットマン部２が椅子本体前方において前後に変位自在となるよう配設されたマッサージ機であって、前記凹所３が平坦となるよう、前記支持体４の外側に位置するものを背面側に回転し折畳み自在とさせて成り、図３（ｂ）には、支持体４を折り畳んだ状態が示されている。
【００２８】
この場合、オットマン部２のベース部分の略中央に支持壁２２がほぼ垂直に立ち上がっており、そして、２つの支持体４、４がベース部分の両端に、外側に折畳み自在となるようヒンジ軸４４にて軸支されてほぼ垂直に立ち上がっている。（図３（ａ）の状態）外側壁面となる２つの支持体４、４は、ヒンジ軸４４、４４により外側へ回動自在にオットマン部２のベース部分へ固定されており、オットマン部２によるマッサージ未使用時にはオットマン部２の背面側に回転させて平坦化できることにて、折畳み時にオットマン部２の底面の高さを上げることが無く、オットマン部の外観がより優れたものとなる。
【００２９】
図４に、本発明の第３の実施形態としてのマッサージ機のオットマン部の平面図が示されている。この実施形態のマッサージ機１は、同図に示すオットマン部２以外の椅子本体部分は上記の実施形態のマッサージ機と同様の構成であり、人体の脚や腕のような被マッサージ部を受ける凹所３を形成するよう間隔をおいて設けられた複数の支持体４と、前記凹所３の内面側に位置するよう同支持体４に設けられた空気袋５と、同空気袋５を膨張収縮させる空気供給手段とを有するオットマン部２を備え、該オットマン部２が椅子本体前方において前後に変位自在となるよう配設されたマッサージ機であって、前記凹所３が平坦となるよう、前記支持体４を背面側にスライドし出退自在とさせて成り、図４（ｂ）には、支持体４を背面側にスライドさせた状態が示されている。
【００３０】
この場合、オットマン部２のベース部分の略中央に支持壁２２がほぼ垂直に立ち上がっており、そして、２つの支持体４、４がベース部分の両端に、背面側にスライド自在となるよう支持軸４５にて電動スライド可能となるよう懸架支持されてほぼ垂直に立ち上がっている。（図４（ａ）の状態）外側壁面となる２つの支持体４、４は、支持軸４５、４５により背面側にスライド自在にオットマン部２のベース部分へ固定されており、オットマン部２によるマッサージ未使用時にはオットマン部２の背面側にスライドさせて平坦化できることにて、折畳み時にオットマン部２の底面の高さを上げることが無く、オットマン部の外観がより優れたものとなる。
【００３１】
図５に、本発明の第４の実施形態としてのマッサージ機のオットマン部の平面図が示されている。この実施形態のマッサージ機１は、同図に示すオットマン部２以外の椅子本体部分は上記の実施形態のマッサージ機と同様の構成であり、人体の脚や腕のような被マッサージ部を受ける凹所３を形成するよう間隔をおいて設けられた複数の支持体４と、前記凹所３の内面側に位置するよう同支持体４に設けられた空気袋５と、同空気袋５を膨張収縮させる空気供給手段とを有するオットマン部２を備え、該オットマン部２が椅子本体前方において前後に変位自在となるよう配設されたマッサージ機であって、前記凹所３が平坦となるよう、膨張収縮自在とした第２の空気袋６を付設させて成り、図５（ｂ）には、空気袋６を膨張させた状態が示されている。
【００３２】
この場合、オットマン部２のベース部分の略中央及び両端に支持体４がほぼ垂直に立ち上がっており、そして、凹所３となる各支持体４の間に、第２の空気袋６が膨張収縮可能となるようエア配管（図示しない）されて構成され、収縮時において凹所３の容量が最大となるよう底面に配設されている。この第２の空気袋６は、椅子本体に備えられたエア給排気ユニット（図示しない）からエアを供給され、マッサージ動作終了時には自動的に膨張し、オットマン部２によるのマッサージ未使用時には各支持体４と同じ高さまで膨張させてオットマン部２を平坦化できるように構成されている。
【００３３】
このように、凹所３が平坦となるよう、膨張収縮自在とした第２の空気袋６を付設させることにて、簡単な構成にてオットマン部２の外観の悪さを改善しつつ通常の椅子としての使い勝手も向上できるものを安価・軽量に実現することができ、機械的な摺動部も増えないため寿命や経年劣化に対する影響も少ない。なお、第２の空気袋６を膨張収縮させる空気供給手段をマッサージ用の支持体４に設けられた空気袋５とも兼用させることも好ましく、この場合、より簡単な構成となるという効果を奏するのである。
【００３４】
以上説明したように、本発明のマッサージ機の構成によると、椅子本体前方において前後に変位自在となるよう配設されオットマン部２の、間隔をおいて配設された、空気供給手段にて膨張収縮される空気袋５がその内面側に位置するよう設けられた複数の支持体４が、それにて形成される、人体の脚や腕のような被マッサージ部を受ける凹所３がマッサージ未使用時に平坦化することで、すっきりとした外観とした。さらには両脚の動きの制約がなくなり自由に動かせることでよりくつろげるようになり、マッサージ機能を損なわず通常の椅子としての使い勝手を向上できる。
【００３５】
なお、本発明は上記各実施例に限定されず、本発明の技術思想の範囲内において、各実施例は適宜変更され得ることは明らかである。
【図面の簡単な説明】
【００３６】
【図１】本願発明の一実施形態であるマッサージ機の要部であるオットマン部の概略構成を示す説明図。
【図２】同マッサージ機の他実施例の要部であるオットマン部の概略構成を示す説明図。
【図３】本願発明の第２の実施形態であるマッサージ機の要部であるオットマン部の概略構成を示す説明図。
【図４】本願発明の第３の実施形態であるマッサージ機の要部であるオットマン部の概略構成を示す説明図。
【図５】本願発明の第４の実施形態であるマッサージ機の要部であるオットマン部の概略構成を示す説明図。
【図６】従来例であるマッサージ機の全体を示す斜視図。
【図７】別の従来例であるマッサージ機のオットマン部の概略構成を示す説明図。
【図８】更なる別従来例であるマッサージ機のオットマン部の概略構成を示す説明図。
【符号の説明】
【００３７】
１      マッサージ機
２      オットマン部
３      凹所
４      支持体
５      空気袋
６      第２の空気袋
【図１】
2005304740.tif 000003
【図２】
2005304740.tif 000004
【図３】
2005304740.tif 000005
【図４】
2005304740.tif 000006
【図５】
2005304740.tif 000007
【図６】
2005304740.tif 000008
【図７】
2005304740.tif 000009
【図８】
2005304740.tif 000010